(57)【要約】  【課題】  本発明は、給水配管、給湯配管の点検、修理作業が容易に行え、作業者の作業姿勢が負荷の少ない浴室ユニットを提供することを目的とする。  【解決手段】  本発明は、洗い場側に膨出部を有する浴槽と、上記膨出部と洗い場との境界に設置するエプロンと、このエプロンと膨出部と浴槽の入浴部とで囲まれた空間を閉塞する天板とを備え、この天板が脱着可能である浴室ユニットである。  【選択図】  図７
2006340780.tif 000002
【特許請求の範囲】
【請求項１】
洗い場側に膨出部を有する浴槽と、上記膨出部と洗い場との境界に設置するエプロンと、このエプロンと膨出部と浴槽の入浴部とで囲まれた空間を閉塞する天板とを備え、この天板が脱着可能である浴室ユニット。
【請求項２】
請求項１において、エプロンが、浴槽側に凹む段差を備えた浴室ユニット。
【請求項３】
請求項１又は２において、天板が、その形状を略方形となし、その短辺側の長さが１５０ｍｍ以上である浴室ユニット。
【請求項４】
請求項１乃至３のいずれかにおいて、天板下方空間が、給水及び給湯の配管立上部を備えた浴室ユニット。
【発明の詳細な説明】
【技術分野】
【０００１】
本発明は、住宅内に設置される浴室ユニットに関する。
【背景技術】
【０００２】
浴室ユニットは、浴室の設置工事時間を短縮することを考えて用いられるものであり、床面となる防水パンと、壁となる壁パネルと、天井となる天井パネルとを備えており、各々の部材をボルト、接着材等を用いることで接合し、在来工法に比較し格段に短い期間で浴室を完成させることができる。
【０００３】
図１は、従来の浴室ユニットを示す概略一部透視斜視図である。浴室ユニット１内には、浴槽２が配置され、この浴槽２の湯舟３へと給水、給湯を行う浴槽水栓４が浴槽２に設けられている。また、壁面には、洗い場にて使用するために、洗い場水栓５が設けられている。
【０００４】
浴槽水栓４及び洗い場水栓５は、各々給水配管６及び給湯配管７に接続されており、図示を省略する湯水混合弁により湯水を混合し、使用者の好む温度の水を供給するようになっている。
【０００５】
給水配管６及び給湯配管７は、浴室ユニット外より浴室ユニット内へと水、湯を供給するものであり、美観を損ねないように、通常の使用状態では使用者の目に入らないようにしている。具体的には、図１に示すように、浴槽２のエプロン８と湯舟３との間の空間を利用することが多く、その他、浴室ユニットの壁面裏、カウンタの内部等を用いる。
【０００６】
また、配管は、通常使用状態では隠してあるが、点検を行えるように、エプロン８を取り外すことで露出するようになっており、点検、修理が、浴室ユニットを大幅に解体することなく行えるようにしてある。
【特許文献１】特開平９−３２０５３号公報
【発明の開示】
【発明が解決しようとする課題】
【０００７】
しかしながら、従来の浴室ユニットでは、給水配管、給湯配管の点検、修理が、エプロンを取り外すことによって行われるために、作業者の作業姿勢を低くする必要があり、作業性・効率が悪く、作業者への負荷が多くなってしまう問題がある。
【０００８】
また、給水配管６、給湯配管７は、水栓の近傍にて上方に立ち上げ、浴槽水栓４と洗い場水栓５とに各々接続するため、分岐させる必要があり、図１に示す配管立上部９の部分を特に点検する必要があるが、この配管立上部９は、低い位置にある上、壁面に近く、より一層点検作業がしづらい。
【０００９】
本発明は、給水配管、給湯配管の点検、修理作業が容易に行え、作業者の作業姿勢が負荷の少ない浴室ユニットを提供することを目的とする。
【課題を解決するための手段】
【００１０】
（１）本発明は、洗い場側に膨出部を有する浴槽と、上記膨出部と洗い場との境界に設置するエプロンと、このエプロンと膨出部と浴槽の入浴部とで囲まれた空間を閉塞する天板とを備え、この天板が脱着可能である浴室ユニットである。
（２）項（１）において、エプロンが、浴槽側に凹む段差を備えた浴室ユニット。
（３）項（１）又は（２）において、天板が、その形状を略方形となし、その短辺側の長さが１５０ｍｍ以上である浴室ユニット。
（４）項（１）乃至（３）のいずれかにおいて、天板下方空間が、給水及び給湯の配管立上部を備えた浴室ユニット。
【発明の効果】
【００１１】
本発明によれば、天板を脱着可能としたことにより、天板を取り外して湯舟とエプロンとの間の空間を点検することができ、浴槽のエプロンを取り外して浴槽側面より点検する場合に比べ、作業者の作業姿勢を高くすることができ、容易に点検作業を行うことができる。また、修理作業を行う場合であっても、点検作業と同様に、作業者は、作業姿勢を高くすることで負荷が減り、作業効率を上げることができる。これらは、天板の下方空間に配管立上部を配置することで、より一層の作業容易性、効率性を上げることができる。
【００１２】
また、エプロンが、浴槽側へ凹む段差を備えている場合は、入浴者が湯舟より出る際に、かかとを浴槽上面縁よりも湯舟方向へおくことができ、より容易に立ち上がることができる。
【００１３】
更に、本発明に用いる天板は、使用者が湯舟より出る又は入浴の際に、腰掛けとして使用することができ、少なくとも１５０ｍｍ以上の幅を持たせることで、おしりをターンさせることが容易に行える。
【発明を実施するための最良の形態】
【００１４】
本発明に用いる浴槽は、洗い場側に膨出部を有するものであれば、特に制限されるものではなく、様々な形状をとることができる。具体的には、図２（ａ）（ｂ）（ｃ）に示すような、浴槽２が、洗い場１０側へと膨出部１１（斜線部分）を有する形状とすることができる。湯舟の形状は、より広い湯舟空間を確保するために、膨出部にまで張り出した形状とすることが好ましく、この膨出部部分に湯舟底面を高くしたステップ１５を設けることで、より使用者が入浴、脱浴し易い浴槽とすることができる。
【００１５】
本発明に用いるエプロンは、膨出部と洗い場との境界に設置されるものであれば特に制限されるものではなく、具体的には、図３（ａ）（ｂ）（ｃ）に示すように、浴槽２の膨出部１１と、洗い場１０とを区画し、平面視にて直線状になっている。
エプロン８は、１つの単板にて形成してもよいが、複数の板から形成してもよく、特にカウンタを設ける浴室ユニットにおいては、エプロンとカウンタとの対向する分と、それ以外の部分とで、分割してあるものであることが好ましい。これは、カウンタと対向する部分を別体とすることで、組付作業を良好とすることができるためである。
エプロンは、浴槽に対し固定されるものであるが、固定方法は特に制限されず、ねじ止め、係合部材による引っ掛け等とすることができ、必要に応じて取り外しができるようにしておく。
エプロンは、図４（ａ）に示すように、浴槽上縁面１２より垂直に垂れ下がるものを使用することができるが、図４（ｂ）に示すように、エプロン８が浴槽側に凹む段差１３を有するようにすることが好ましい。これは、使用者が、湯舟より上がる際に、かかとを凹み部分に入れることで、容易に立ち上がることができるようにするためである。
【００１６】
本発明に用いる天板は、エプロンと、膨出部と、入浴部（湯舟）とに囲まれた空間を閉塞するものであれば特に制限されるものではなく、具体的には、図５（ａ）（ｂ）（ｃ）の斜線にて示す空間の上面を天板１４として閉塞する。また、図５（ａ）（ｃ）に示す場合は、エプロン８、膨出部１１、湯舟３及び浴室ユニットの壁面により囲まれた空間を閉塞している。
天板１４は、その下方空間に対し、水、湯等が入り込まないようにすることが好ましく、周囲をコーキングすることもできる。また、この天板１４は、脱着可能であり、係合、ねじ止め等により、通常は外れないようにしてあるが、必要に応じて取り外すことができる。
【実施例】
【００１７】
以下、実施例により本発明を説明する。
図６は、本発明に用いる浴槽の１実施例を示した斜視図である。浴槽２は、入浴を行う湯舟３の周囲に浴槽上縁面１２を有しており、洗い場側に向かって膨出部１１を備えている。膨出部１１となっている部分は、湯舟３も膨出しており、ステップ１５として使用している。ステップ１５の底面は、湯舟３の底面よりも高い位置であり、その表面には滑り止めを行う表面凹凸を形成してある。使用者は、このステップ１５を用いて、洗い場から湯舟３への移動、また、湯舟３から洗い場への移動を容易に行うことができる。更に、使用者は、このステップに腰掛けることにより、足入浴、半身浴等をおこなうこともできる。
【００１８】
図６に示すステップ１５は、浴槽２の長辺と平行に設けてあるが、斜めに設けてもよく、斜めに設けた場合には、使用者が腰掛けた際に、対向する長辺の浴槽壁迄の距離が長くなり、足を伸ばすことができるようになる。
【００１９】
図７は、本発明の実施例である浴室ユニットの一部拡大斜視図である。浴槽２と洗い場１０との境界部分には、段差１３を有するエプロン８が設置してあり、このエプロン８と、膨出部１１と、湯舟３とで囲まれた空間が、天板１４により閉塞されている。
【００２０】
天板１４の下方には、給水配管６及び給湯配管７の配管立上部９、９が配置してあり、各配管が、浴槽水栓４及び洗い場水栓５へと接続されている。天板１４は、嵌込となっており、浴槽上縁面１２から天板下方空間へと容易に水が侵入できないように、コーキングを施している。配管点検、修理の際は、コーキングを切断し、天板１４を取り外すことにより容易に作業を行うことができ、修理完了後は、再び天板１４を戻してコーキングを行うことで、即時浴室の使用をすることができる。
【００２１】
天板１４の高さは、浴槽上縁面１２の高さと略同一としており、この天板１４の部分に腰掛けて向きを変え、入浴することができる。また、カウンタ１６の高さは、天板１４の高さよりも低くしてあり、カウンタ１６の上にシャンプー、石けん水等がこぼれても、カウンタ１６、天板１４を伝わって、湯舟３の中にシャンプー、石けん水等が侵入しないようにしてある。
【００２２】
図８は、本発明の１実施例である浴室ユニットであり、（ａ）は全体斜視図を示し、（ｂ）はエプロン部分の詳細図を示す。
エプロン８は、使用者のかかとが入り込むように段差１３が設けられており、使用者が浴槽上縁面１２又は天板１４に腰掛けた姿勢から、容易に立ち上がることができるようになっている。また、エプロン８は、図８（ｂ）に示すように、３分割されており、膨出部１１部分の大きさに合わせたエプロン８（ａ）と、このエプロン８（ａ）に隣接しカウンタ１６の手前までの大きさに合わせたエプロン８（ｂ）と、カウンタ１６の奥行き幅に合わせたエプロン８（ｃ）とを備える。
【００２３】
エプロン８（ａ）、（ｂ）、（ｃ）は、各々が独立に取り外し可能となっており、必要に応じたエプロンを任意に取り外すことができる。また、エプロン８と浴槽２との間の部分は、配管等を通すことができ、エプロン８により遮蔽されるので使用者から見えることがない。
【図面の簡単な説明】
【００２４】
【図１】従来の浴室ユニットを示す概略一部透視斜視図である。
【図２】本発明の実施例である浴槽の概略平面図であり、（ａ）は膨出部を出入口付近に設けたものを示し、（ｂ）は膨出部を２つ設けたものを示し、（ｃ）は膨出部をカウンタ付近に設けたものを示す。
【図３】図２に示す浴槽にエプロンを設置した際の概略平面図を示す。
【図４】本発明の実施例であるエプロン部分の拡大断面図であり、（ａ）は垂直降下のエプロンを示し、（ｂ）は段差を有するエプロンを示す。
【図５】図２に示す浴槽に天板を設置した際の概略平面図を示す。
【図６】本発明に用いる浴槽の１実施例を示した斜視図である。
【図７】本発明の１実施例である浴室ユニットの一部拡大斜視図を示す。
【図８】本発明の１実施例である浴室ユニットであり、（ａ）は全体斜視図を示し、（ｂ）はエプロン部分の詳細図を示す。
【符号の説明】
【００２５】
１…浴室ユニット、２…浴槽、３…湯舟、４…浴槽水栓、５…洗い場水栓、６…給水配管、７…給湯配管、８…エプロン、８（ａ）…エプロン、８（ｂ）…エプロン、８（ｃ）…エプロン、９…配管立上部、１０…洗い場、１１…膨出部、１２…浴槽上縁面、１３…段差、１４…天板、１５…ステップ、１６…カウンタ。
【図１】
2006340780.tif 000003
【図２】
2006340780.tif 000004
【図３】
2006340780.tif 000005
【図４】
2006340780.tif 000006
【図５】
2006340780.tif 000007
【図６】
2006340780.tif 000008
【図７】
2006340780.tif 000009
【図８】
2006340780.tif 000010